【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
少なくとも、染色モジュールとカバースリップ付着モジュールのいずれか一方と、
画像化モジュールと、
保存モジュールと、
少なくとも一個のスライドを、少なくとも前記染色モジュールとカバースリップ付着モジュールのいずれか一方と、前記画像化モジュールと前記保存モジュールとの間で搬送するための自動搬送モジュールと、
前記搬送モジュールを介して少なくとも一個のスライドの搬送を管理するコントローラとを具備することを特徴とする装置。
【請求項２】
前記保存モジュールは、保存モジュール内において少なくとも一個のスライドの位置を識別するインデックスシステムを具備することを特徴とする請求項１記載の装置。
【請求項３】
前記保存モジュールは、複数のスライド保存ステーションを具備することを特徴とする請求項１記載の装置。
【請求項４】
前記搬送モジュールは、少なくとも一個のコンベアを具備することを特徴とする請求項１記載の装置。
【請求項５】
前記搬送モジュールは、二方向への搬送可能なコンベアを具備することを特徴とする請求項４記載の装置。
【請求項６】
前記画像化モジュールは、複数の画像化モジュールから成ることを特徴とする請求項１記載の装置。
【請求項７】
前記画像化モジュールは、電荷結合素子（ＣＣＤ）から成る装置であることを特徴とする請求項１記載の装置。
【請求項８】
前記コントローラは、前記画像化モジュールがスライドを受け取り可能な場合にコントローラにスライドを画像化装置へ配置させるよう実行させる機械可読指示に従うことを特徴とする請求項１記載の装置。
【請求項９】
前記コントローラは、コントローラにスライドを前記保存モジュールから取り出し、前記画像化装置へ搬送させるよう実行させる機械可読指示に従うことを特徴とする請求項１記載の装置。
【請求項１０】
前記保存モジュールは、スライド保存モジュールであって、
前記装置は、更に組織塊保存モジュールを具備することを特徴とする請求項１記載の装置。
【請求項１１】
前記スライド保存モジュールと、前記組織塊保存モジュールは一体になっていることを特徴とする請求項１０記載の装置。
【請求項１２】
前記コントローラは、コントローラに組織塊を前記組織塊保存モジュールから取り出すよう実行させる機械可読指示に従うことを特徴とする請求項１０記載の装置。
【請求項１３】
生体試料が載置された少なくとも一個のスライドを処理し、
前記少なくとも一個のスライド上の生体試料を、画像化モジュールが画像化できるかどうか判断し、
前記画像化モジュールで画像化できると判断したときは、自動搬送モジュールを使って前記少なくとも一個のスライドを前記画像化モジュールへ搬送し、
前記画像化モジュールが画像化できないと判断されたときは、前記自動搬送モジュールを使って前記少なくとも一個のスライドを保存モジュールへ搬送することを特徴とする方法。
【請求項１４】
前記処理工程では、前記少なくとも一個のスライドに載置された生体試料を染色することが含まれることを特徴とする請求項１３記載の方法。
【請求項１５】
前記処理工程では、前記少なくとも一個のスライドにカバースリップを付着することが含まれることを特徴とする請求項１３記載の方法。
【請求項１６】
前記画像化モジュールは、第１の画像化モジュールであって、
前記判断工程は、更に
第２の画像化モジュールが使えるか判断し、
前記第１の画像化モジュールと前記第２の画像化モジュールが使えないときに、第３の画像化モジュールが使えるか判断することを特徴とする請求項１３記載の方法。
【請求項１７】
前記搬送工程は、前記第１の画像化モジュールが使用できないときに、前記少なくとも一個のスライドを前記自動搬送モジュールを介して前記第２の画像化モジュールまたは第３の画像化モジュールへ搬送することを特徴とする請求項１６記載の方法。
【請求項１８】
更に、前記自動搬送モジュールを使って、前記少なくとも一個のスライドを前記保存モジュールから前記画像化モジュールへ搬送することを特徴とする請求項１３記載の方法。
【請求項１９】
更に、前記保存モジュール内における前記少なくとも一個のスライドの位置を識別することを特徴とする請求項１３記載の方法。
【請求項２０】
更に、前記少なくとも一個のスライドが前記画像化モジュールへ搬送された場合に、前記少なくとも一個のスライド上の生体試料を画像化し、
画像化後に、前記自動搬送モジュールを使って前記少なくとも一個のスライドを前記保存モジュールへ搬送することを特徴とする請求項１３記載の方法。
【請求項２１】
更に、さらなる画像化のために、前記自動搬送モジュールを使って前記少なくとも一個のスライドを、前記保存モジュールから前記画像化モジュールへ搬送することを特徴とする請求項２０記載の方法。
【請求項２２】
更に、前記画像化モジュールが使える場合に、前記少なくとも一個のスライドを前記画像化モジュール内に配置し、
前記少なくとも一個のスライド上の生体試料のデジタル画像を得ることを特徴とする請求項１３記載の方法。
【請求項２３】
更に、組織塊を前記保存モジュールから取り出し、
前記組織塊を顕微鏡切片作成モジュールへ搬送することを特徴とする請求項１３記載の方法。
【請求項２４】
生体試料を含む少なくとも一個のスライドを処理する処理モジュールと、
前記少なくとも一個のスライド上の生体試料を画像化する画像化モジュールと、
保存モジュールと、
少なくとも一個のスライドを、前記処理モジュール、前記画像化モジュール、前記保存モジュールとの間で搬送するための自動搬送モジュールと、
前記少なくとも一個のスライドの搬送を制御するために、前記搬送モジュールと、少なくとも前記処理モジュール、前記画像化モジュールおよび前記保存モジュールの１個と連携しているコントロールモジュールとを具備することを特徴とするシステム。
【請求項２５】
前記コントロールモジュールは、前記画像化モジュールが使用できる場合に、前記少なくとも一個のスライドの画像化モジュールへの搬送を指示することを特徴とする請求項２４記載のシステム。
【請求項２６】
前記コントロールモジュールは、前記画像化モジュールが使用できない場合、又は前記スライドが画像化の準備ができていない場合には、前記少なくとも一個のスライドの前記保存モジュールへの搬送を指示することを特徴とする請求項２４記載のシステム。
【請求項２７】
前記画像化モジュールは、前記少なくとも一個のスライド上の試料のデジタル画像を得ることができることを特徴とする請求項２４記載のシステム。
【請求項２８】
前記画像化モジュールにより得られた画像は、診断者によって解析用遠隔ステーションからアクセス可能であることを特徴とする請求項２７記載のシステム。
【請求項２９】
前記画像化モジュールは、複数の画像化装置から成ることを特徴とする請求項２４記載のシステム。
【請求項３０】
前記保存モジュールは、前記保存モジュール内に保存されている前記少なくとも一個のスライドの位置を識別するインデックスシステムを具備することを特徴とする請求項２４記載のシステム。
【請求項３１】
前記コントロールモジュールは、前記保存モジュール内における前記少なくとも一個のスライドの位置を識別し、前記搬送モジュールに当該位置から前記少なくとも一個のスライドを取り出すよう指示することを特徴とする請求項３０記載のシステム。
【請求項３２】
更に、顕微鏡切片作成モジュールを備え、
前記コントロールモジュールは、組織塊を前記顕微鏡切片作成モジュールへ搬送するために、前記搬送モジュールと連携していることを特徴とする請求項２４記載のシステム。
【請求項３３】
少なくとも１個の処理モジュール、画像化モジュールおよび保存モジュールと連携するコントローラに、請求項１３〜請求項２３記載の処理方法を実行させるプログラム命令を含む機械可読媒体。